【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
前記遊技制御手段に制御される特定ランプと、を備え、
前記遊技制御手段は、
通常区間から有利区間に制御可能な有利区間制御手段と、
前記有利区間において有利状態に制御可能な状態制御手段と、
前記有利区間に制御されたゲーム数を計数する計数手段と、
前記計数手段の計数したゲーム数にもとづいて、前記有利区間を終了させて前記通常区間に制御する有利区間終了手段と、
前記特定ランプを制御する特定ランプ制御手段と、
前記有利区間を終了させるときに前記計数手段の計数するゲーム数を初期化する初期化手段と、を含み、
前記状態制御手段は、前記有利区間において第１状態と該第１状態よりも有利な第２状態に制御可能であり、
前記特定ランプ制御手段は、
前記有利区間において、前記有利区間の制御中であることを示唆するために前記特定ランプを点灯させ、
前記有利区間において、前記第１状態に制御するときと前記第２状態に制御されているときとに前記特定ランプを同じ色で点灯させ、
前記有利区間が終了するときに、前記初期化手段により前記計数手段の計数するゲーム数が初期化されてから、前記特定ランプを消灯する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００４
【補正方法】変更
【補正の内容】
【０００４】
このようなスロットマシンとして、ストップスイッチの操作態様が報知可能なＡＴ（アシストタイム）に制御可能なスロットマシンがあった（たとえば、特許文献１）。
【手続補正４】
【補正対象書類名】明細書
【補正対象項目名】０００５
【補正方法】変更
【補正の内容】
【０００５】
【特許文献１】特開２０１６−５９４８２号公報
【手続補正５】
【補正対象書類名】明細書
【補正対象項目名】０００６
【補正方法】変更
【補正の内容】
【０００６】
上述したスロットマシンには、改良の余地があった。
【手続補正６】
【補正対象書類名】明細書
【補正対象項目名】０００７
【補正方法】変更
【補正の内容】
【０００７】
この発明は、かかる実情に鑑み考え出されたものであり、その目的は、上述したスロッ
トマシンを改良したスロットマシンを提供することである。
【手続補正７】
【補正対象書類名】明細書
【補正対象項目名】０００８
【補正方法】変更
【補正の内容】
【０００８】
（Ａ）    各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の制御を行う遊技制御手段と、
前記遊技制御手段に制御される特定ランプと、を備え、
前記遊技制御手段は、
通常区間から有利区間に制御可能な有利区間制御手段と、
前記有利区間において有利状態に制御可能な状態制御手段と、
前記有利区間に制御されたゲーム数を計数する計数手段と、
前記計数手段の計数したゲーム数にもとづいて、前記有利区間を終了させて前記通常区間に制御する有利区間終了手段と、
前記特定ランプを制御する特定ランプ制御手段と、
前記有利区間を終了させるときに前記計数手段の計数するゲーム数を初期化する初期化手段と、を含み、
前記状態制御手段は、前記有利区間において第１状態と該第１状態よりも有利な第２状態に制御可能であり、
前記特定ランプ制御手段は、
前記有利区間において、前記有利区間の制御中であることを示唆するために前記特定ランプを点灯させ、
前記有利区間において、前記第１状態に制御するときと前記第２状態に制御されているときとに前記特定ランプを同じ色で点灯させ、
前記有利区間が終了するときに、前記初期化手段により前記計数手段の計数するゲーム数が初期化されてから、前記特定ランプを消灯する。
（１）  各々が識別可能な複数種類の識別情報を変動表示可能な可変表示部を備え、
前記可変表示部を変動表示した後、前記可変表示部の変動表示を停止することで表示結
果を導出し、該表示結果に応じて入賞が発生可能なスロットマシン（たとえば、スロット
マシン１）において、
特定表示結果（たとえば、弱チェリー１〜３、強チェリー１〜３、中段チェリー、弱ス
イカ１〜３、および強スイカといった移行抽選対象役の図柄組合せ）と特別表示結果（た
とえば、ＢＢの図柄組合せ）とを含む複数種類の表示結果のうちのいずれかの導出を許容
する事前決定手段（たとえば、メイン制御部４１による内部抽選を実行する処理）と、
表示結果を導出させるために操作される導出操作手段（たとえば、ストップスイッチ８
Ｌ，８Ｃ，８Ｒ）と、
前記導出操作手段の操作態様を報知可能な報知状態（たとえば、ＡＴ）に制御する報知
状態手段（たとえば、メイン制御部４１によるＡＴに制御する処理）と、
前記事前決定手段によって前記特定表示結果の導出が許容されたことに基づき、前記報
知状態への制御が通常状態（たとえば、通常区間）よりも高まる有利状態（たとえば、Ｃ
Ｚ）に制御するか否かを決定する有利決定手段（たとえば、メイン制御部４１によるＣＺ
抽選を実行する処理）と、
前記特別表示結果が導出されたときに特別状態（たとえば、ＢＢ）に制御する特別状態
手段（たとえば、メイン制御部４１によるＢＢに制御する処理）と、
前記有利状態への制御が決定された旨を示唆する有利状態示唆手段（たとえば、メイン
制御部４１による有利報知を実行する処理）とを備え、
前記事前決定手段の決定結果には、前記特別表示結果の導出が許容されるとともに前記
特定表示結果の導出が許容される同時決定結果（たとえば、移行抽選対象役とＢＢとの同
時当選）と、前記特別表示結果の導出が許容されることなく前記特定表示結果の導出が許
容される非同時決定結果（たとえば、移行抽選対象役の単独当選）とが含まれ、
前記有利状態示唆手段は、
前記事前決定手段の決定結果が前記非同時決定結果でありかつ前記有利状態への制御
が決定されたとき（たとえば、図２３（ｃ），（ｄ）に示すように、移行抽選対象役の単
独当選時にＣＺ当選したとき）には、第１タイミング（たとえば、有利区間移行抽選で当
選してから当該有利区間移行抽選に当選したゲームの次のゲームの賭数設定が可能となる
までの先報知タイミング）で当該有利状態への制御が決定された旨を示唆し、
前記事前決定手段の決定結果が前記同時決定結果でありかつ前記有利状態への制御が
決定されたとき（たとえば、図２２（ａ），図２５（ｇ）に示すように、移行抽選対象役
とＢＢとの同時当選時にＣＺ当選したとき）には、前記第１タイミング（たとえば、先報
知タイミング）と当該第１タイミングよりも後の第２タイミング（たとえば、ＢＢの図柄
組合せが導出された以降のいずれかの後報知タイミング）とを含む複数種類のタイミング
のうちのいずれかで、当該有利状態への制御が決定された旨を示唆する（たとえば、図２
１参照）。